(57)【要約】【課題】モジュール化大量生産可能な竹製容器の提供。【解決手段】竹製容器は、上フレーム、下フレーム、及び、複数の板棒からなり、上下フレームはそれぞれ金型により係槽を有する複数の上ユニットと下ユニットを形成した後、上ユニットが上フレームを構成し、下ユニットが下フレームを構成し、上フレームの下面と下フレームの上面は周囲形状に沿ってそれぞれ連続した係槽をなす。板棒の上下端はそれぞれ上フレームと下フレームの係槽に挿入して容器を構成する。上フレームと下フレームの間に更に定位フレームを設置し、固定素子により各板棒を定位フレームに固定して、モジュール化大量生産が可能な竹製容器を形成する。【選択図】    図１
0003133851.tif 000002
【実用新案登録請求の範囲】
【請求項１】
モジュール化大量生産可能な竹製容器であって、上フレームと下フレームと、複数の板棒と、定位フレームと、固定素子と、からなり、
前記上フレームは、上ユニットからなり、角が円弧形の環状フレーム体で、前記上ユニットは金型により一体成形で生成され、且つ、前記上ユニットの下面は環状係槽を有し、前記上ユニットが上フレームに連接された後、上係槽は連続した環状係槽を呈し、
前記下フレームは、下ユニットからなり、角が円弧形の環状フレーム体で、前記下ユニットは金型により一体成形で生成され、上面は周囲形状に沿って環状係槽を設置し、前記下ユニットが下フレームに連接された後、下係槽は連続した環状係槽を呈し、
前記複数の板棒は、両端がそれぞれ前記上フレームと前記下フレームの環状係槽内に挿入され、
前記定位フレームは、環状封閉のフレーム体で、その外径は前記板棒の内側面に抵接し、
前記固定素子は前記板棒を前記定位フレームに固定し、
前記上フレームの外径が前記下フレームの外径より大きく、且つ、前記定位フレームの外径が前記上フレームの外径より大きい時、側壁が外側に突出する容器を編製し、前記上フレームの外径が、前記下フレームの外径より大きく、且つ、前記定位フレームの外径が前記上フレームの外径より小さいが、前記下フレームの外径より大きい時、側壁が傾斜する錘状体容器を編製し、前記上フレームと前記下フレームの外径が相同で、且つ、前記定位フレームの外径が前記上下フレームの外径より小さい時、側壁が直立する容器を編製することを特徴とするモジュール化大量生産可能な竹製容器。
【請求項２】
前記上ユニットと前記下ユニットは門状、或いは、弧湾形状であることを特徴とする請求項１に記載のモジュール化大量生産可能な竹製容器。
【請求項３】
複数の上フレームと下フレームが堆畳し、複数の板棒が前記上フレーム間、及び、前記上フレームと前記下フレーム間に挿置されて、中空の容器を構成することを特徴とする請求項１に記載のモジュール化大量生産可能な竹製容器。
【考案の詳細な説明】
【技術分野】
【０００１】
本考案は大量製造可能な竹製容器に関するものである。
【背景技術】
【０００２】
板棒により製造される公知の家具はその構造はフレーム体と編織体とからなる。編織体は多孔を有する造型に編織し、フレーム体と編織体の組み合わせ構造は多くが粘合の方式を採用するか、或いは、線材により縫合する方式で編織体をフレーム体内側に固定する。もう一つの家具構造は、編織体が複数の縦竹棒と複数の横竹棒とからなり、藤線により交錯した縦竹棒と横竹棒を固定してなり、よって、編製速度が遅く、コストも高い。
【考案の開示】
【考案が解決しようとする課題】
【０００３】
本考案の目的は、大量生産に適し、製品が美観である竹製容器を提供することにある。
【課題を解決するための手段】
【０００４】
本考案は、複数の上ユニットにより上フレームを構成し、且つ、複数のしたユニットが下フレームを構成し、上下フレームは共に環状係槽を設置し、上下フレームの環状係槽の間に板棒を挿設して、竹製容器を構成する。
【０００５】
本考案は、熱圧成形方式により、適当な長さの竹材を弧湾する上ユニットと下ユニットに成形し、上ユニットは上フレームを構成し、下ユニットが下フレームを構成する。
【０００６】
本考案は、外径が上下フレームの外径以上か以下の定位フレームを提供し、上下フレームを挿設する板棒内側は定位フレームの外径に抵接し、更に、ロープなどの固定素子により板棒と定位フレームを固定し、これにより、視覚創意効果を有し、大量生産に適する竹製容器を構成する。
【考案の効果】
【０００７】
本考案により、大量生産に適し、製品が美観である竹製容器が提供される。
【考案を実施するための最良の形態】
【０００８】
まず、図１の実施例による竹製容器を参照すると、上フレーム１、下フレーム２、及び、複数の板棒３からなり、上フレーム１は複数の上ユニット１１により連接されてなる環状封閉フレーム体である。上ユニット１１は竹材を採用し、金型により適当に加圧、加熱して門状に成形する。この加工方式により、上ユニット１１の角が弧湾状になる。上ユニット１１の下面はそれぞれ上係槽１１１を加工し、これにより、各上ユニット１１連接後、上係槽１１１を連続した環状係槽にする。上ユニット１１の連接は、粘合、ほぞ接合、或いは、鎖接等の方式により環状封閉の上フレーム１に結合する。下フレーム２は前述の相同方式により、複数の竹材からなる下ユニット２１を連接してなる環状封閉フレーム体である。各下ユニット２１の上面はそれぞれ下係槽２１１を加工し、これにより、各上ユニット２１連接後、下係槽２１１を連続した環状係槽にする。
【０００９】
図２は本考案の上フレーム１と下フレーム２のもう一つの実施例を示す図で、更に多くの弧湾形上ユニット１１と下ユニット２１を設置し、更に、上ユニット１１は連接されて上フレーム１を組成し、下ユニット１２は連接されて下フレーム２を組成し、その後、板棒３により容器を構成する。
【００１０】
図３は本考案の前述の素子により容器を構成する第一実施例を示す図である。本実施例で、大きい外径の上フレーム１と小さい外径の下フレーム２、及び、外径が上フレーム１より小さい定位フレーム４を採用し、複数の板棒３の上端を上フレーム１の上係槽に挿入し、下端は下フレーム２の下係槽に挿入され、定位フレーム４の外径は各板棒３の内側面に抵接されて、側壁が外側に突出する容器を構成する。
【００１１】
図４は本考案の前述の素子により容器を構成する第二実施例を示す図である。本実施例で、大きい外径の上フレーム１と小さい外径の下フレーム２、及び、外径が上フレーム１より小さいが、下フレーム２より大きい定位フレーム４を採用し、複数の板棒３の上端を上フレーム１の上係槽に挿入し、下端は下フレーム２の下係槽に挿入され、定位フレーム４の外径は各板棒３の内側面に固定されて、その後、ロープ５を固定素子として、各板棒３を定位フレーム４に固定し、直立式錘状体の容器を構成する。
【００１２】
図５は本考案の前述の素子により容器を構成する第三実施例を示す図である。本実施例で、大きい外径の長方形の上フレーム１と小さい外径の長方形の下フレーム２、及び、外径が上フレーム１より小さいが、下フレーム２より大きい定位フレーム４を採用し、複数の板棒３の上端を上フレーム１の上係槽に挿入し、下端は下フレーム２の下係槽に挿入され、定位フレーム４の外径は各板棒３の内側面に固定されて、その後、ロープ５を固定素子として、各板棒３を定位フレーム４に固定し、長方形錘状体の容器を構成する。
【００１３】
図６は本考案の前述の素子により容器を構成する第四実施例を示す図である。本実施例で、相同の外径の長方形上フレーム１と長方形下フレーム２、及び、外径が上下フレームより小さい定位フレーム４を採用し、複数の板棒３の上端を上フレーム１の上係槽に挿入し、下端は下フレーム２の下係槽に挿入され、定位フレーム４の外径は各板棒３の内側面に固定されて、その後、ロープ５を固定素子として、各板棒３を定位フレーム４に固定し、側壁が垂直を呈する直方体容器を構成する。
【００１４】
図７は本考案の前述の素子により容器を構成する第五実施例を示す図である。本実施例で、相同の外径の正方形上フレーム１と正方形下フレーム２を採用し、複数の板棒３の上端を上フレーム１の上係槽に挿入し、下端は下フレーム２の下係槽に挿入され、側壁が垂直を呈する立方体容器を構成する。
【００１５】
図８は本考案の前述の上フレームと下フレームを利用し、交錯編製する板棒３により、板棒の上下端をそれぞれ上フレームの上係槽と下フレームの下係槽に挿置して、容器を構成する。
【００１６】
図９は前述の複数の上フレーム１と下フレーム２の堆畳を利用し、板棒３により、板棒の上下端をそれぞれ相隣する上フレームの間、及び、上フレームと下フレームの間に挿置し、中空の容器を構成する。
【図面の簡単な説明】
【００１７】
【図１】本考案の上フレーム、或いは、下フレームはそれぞれ両門型の上ユニット、或いは、下ユニットを連接してなり、更に、板棒を挿置した実施例図である。
【図２】本考案の上フレーム、或いは、下フレームは四個の弧湾形の上ユニット、或いは、下ユニットを連接してなり、更に、板棒を挿置した実施例図である。
【図３】本考案の板棒が外側方向に突出して編製される竹製容器の実施例平面図である。
【図４】本考案の大きい上フレームと小さい下フレームに、板棒と定位フレームを直立式錘状体容器に編製した実施例を示す図である。
【図５】本考案の大きい上フレームと小さい下フレームに、板棒と定位フレームを長方形錘状体容器に編製した実施例を示す図である。
【図６】本考案の大きさが相同の上フレームと下フレームに、板棒と定位フレームを直方体容器に編製した実施例を示す図である。
【図７】本考案の大きさが相同の上フレームと下フレームに、板棒と定位フレームを立方体容器に編製した実施例を示す図である。
【図８】本考案の上フレームと下フレームに、交錯編製する板棒を容器に編製した実施例を示す図である。
【図９】本考案の複数の上フレームと下フレームに、板棒と定位フレームを中空容器に編製した実施例を示す図である。
【符号の説明】
【００１８】
１        上フレーム
１１      上ユニット
１１１    上係槽
２        下フレーム
２１      下ユニット
２１１    下係槽
３        板棒
４        定位フレーム
５        ロープ
【図１】
0003133851.tif 000003
【図２】
0003133851.tif 000004
【図３】
0003133851.tif 000005
【図４】
0003133851.tif 000006
【図５】
0003133851.tif 000007
【図６】
0003133851.tif 000008
【図７】
0003133851.tif 000009
【図８】
0003133851.tif 000010
【図９】
0003133851.tif 000011